(57)【要約】【課題】構造が簡単であり、カーテンへの取付けが簡単容易にできる。【解決手段】円柱状の心材２と、内側になる面には接着剤が塗着され中央部で心材２の全周に巻着され残余の部分でカーテン６に接続される挟持布４と、この挟持布４の心材２入りの部分を溝の中に支持して滑らせるように形成されたレール８とからなる。また、心材２を巻き込んだ挟持布４の製作手段として、長い心材２に長い挟持布４を巻着して長いものを作り、これを所要の短い寸法に切断して多数の心材入り挟持布を得るようにした。【選択図】        図１
2004255008.tif 000002
【特許請求の範囲】
【請求項１】
円柱状の心材と、内側になる面には接着剤が塗着され中央部で前記心材の全周に密着するように巻着され残余の部分でカーテン等に接続される挟持布と、この挟持布の前記心材が巻着された部分を溝の中に滑動可能に支持するように形成されたレールとからなるカーテン等支持装置。
【請求項２】
円柱状の心材と、内側になる面には接着剤が塗着され中央部で前記心材の全周に密着するように巻着され残余の部分でカーテン等に接続される挟持布と、この挟持布の前記心材が巻着された部分を溝の中に滑動可能に支持するように形成されたレールとからなり、前記心材に巻着した挟持布の製作手段として、長い心材に長い挟持布を巻着して長いものを作り、これを所要の短い寸法に切断して多数の心材入り挟持布を得るようにしたことを特徴とするカーテン等支持装置。
【発明の詳細な説明】
【０００１】
【発明が属する技術分野】
この発明は、カーテン，垂れ幕，緞帳などの布状のものや、固いものでもアコーデオン状に折り畳みなどして、左右又は上下に開閉されるもの、あるいは、ビルの壁面等に下げて広げる広告宣伝幕などのように上下に開閉する幕状のもの、さらに、斜め方向又は曲線曲面に展開収納する幕状のものなどに適用されるカーテン等支持装置に関するものである。
【０００２】
【従来の技術】
従来のカーテン等支持装置としては、カーテン等の縁に取り付けたローラーや滑り駒のようなランナーを、レールの溝の中で支持させ移動させてカーテン等を支持開閉させるというものがあり、このようなカーテン等支持装置のカーテン等を支持するランナーとして種々の形状構造材質のものがあり、これをカーテン等に取り付ける手段についても種々の手段が採用されている。
【０００３】
【発明が解決しようとする課題】
上記のような従来のカーテン等支持装置のカーテン等を支持するランナー、また、これをカーテン等に取り付けるのに採用されている手段には、構造が簡単でないとか、取付けに手間がかかるというような問題があった。
【０００４】
この発明は上記のような課題を解決するためになされたもので、カーテン等を支持するランナー、また、これをカーテン等に取り付ける手段として、構造がきわめて簡単で、したがって安価にでき、カーテン等への取付けがきわめて簡単容易にできるカーテン等支持装置を提供するものである。
【０００５】
【課題を解決するための手段】
この発明によるカーテン等支持装置は、円柱状の心材と、内側になる面には接着剤が塗着され中央部で前記心材の全周に密着するように巻き込んで接着され残余の部分でカーテン等に接続される挟持布と、この挟持布の前記心材が巻着された部分を溝の中に滑動可能に支持するように形成されたレールとからなるものである。
【０００６】
この発明によるカーテン等支持装置では、レールの溝の中で支持させ滑らせるランナー及びこれをカーテン等に取り付ける機能を果たすものは、円柱状の心材とこれに巻き付けられた挟持布だけであるので、構造がきわめて簡単である。また、カーテン等への取付けは挟持布でカーテンを挟んで接着などにより接続するだけでよく、きわめて簡単容易に行うことができる。
【０００７】
また、この発明によるカーテン等支持装置は、円柱状の心材と、内側になる面には接着剤が塗着され中央部で前記心材の全周に密着するように巻き込んで接着され残余の部分でカーテン等に接続される挟持布と、この挟持布の前記心材が巻着された部分を溝の中に滑動可能に支持するように形成されたレールとからなり、前記心材に巻着した挟持布の製作手段として、長い心材に長い挟持布を巻着して形成し、これを所要の短い寸法に切断して多数の心材入り挟持布を得るようにしたものである。
【０００８】
この発明によるカーテン等支持装置の心材入り挟持布の製作手段として、長い心材に長い挟持布を巻着して長いものを形成し、これを所要の短い寸法に切断して多数の心材入り挟持布を得るようにすれば、簡単に多数のランナーが得られ、製作工費がきわめて少なく安価に製作することができる。
【０００９】
【発明の実施の形態】
以下、この発明の実施の形態を図について説明する。図１乃至図６はこの発明によるカーテン等支持装置の一実施例を示し、図１は斜視図、図２は要部の拡大図、図３は要部の製作要領を示す図、図４はビルの壁面等に上下に広げる広告宣伝幕等に適用した一例を示す図、図５は室内の仕切りに適用した一例を示す図、図６はテントハウス又はビニールハウスなどに適用した一例を示す図である。
【００１０】
図において、２は心材、４は挟持布、６はカーテン等、７は補強当て木、８はレール、９は固定カーテンである。
【００１１】
心材２は円柱状であり、その形状を維持するものなら材質は何でもよいが、レール８が曲線をなす場合などでは多少の可撓性がある天然ゴム又は合成ゴム製などが望ましい。
【００１２】
挟持布４は天然繊維又は合成繊維を織って作られた普通の布である。ポリエステル，ポリアミド，アラミド繊維などで作れば丈夫で摩耗に強く耐久性のあるものとすることができる。挟持布４の内側になる面には、加熱すると溶融して接着する塩化ビニルなどの接着剤膜が付着されている。外側になる面は布生地のままである。
【００１３】
カーテン等６としては、カーテン，垂れ幕，緞帳などの布状のもの、また固いものでもアコーデオン状に折り畳みなどして左右に開閉されるもの、アルミ板桟を連ねて上下に開閉するシャッター、あるいは、ビルの壁面等に広げる広告宣伝幕などのように上下に開閉するもの、さらに、斜め方向又は曲線曲面に展開収納するものなどに適用することができる。
【００１４】
レール８はアルミ（合金）又は硬質プラスチックの押し出し型材であり、心材２を巻着した挟持布４の部分（ランナー）を滑り移動可能に抱持するように形成された溝を有するものである。
【００１５】
図１に示すように、この発明によるカーテン等支持装置の一実施例では、カーテン等６の上縁に所要の間隔をおいて所要の数の心材２入り挟持布４を取り付け、挟持布４の心材２を巻着した部分（ランナー）をレール８の溝の中に入れて支持させ溝の中を滑らせ移動させてカーテン等６を開閉する。
【００１６】
図２に示すように、挟持布４のカーテン等６への取付手段として、カーテン等６を挟むようにして挟持布４を当て電熱板又はローラーを押しつけて電熱又は高周波（高周波ミシン）で加熱することにより挟持布４の内側面の接着剤膜を溶融させて接着するのが最も簡単である。勿論、レール８などを見えなくするなどのために、カーテン６の上縁から少し下に取り付けたい場合などには、縫製などにより取り付けることもできる。
【００１７】
次に、このカーテン等支持装置における主要機能部材である心材２を包み込んだ挟持布４を得る手順を、図３によって説明する。（Ａ）所要の幅で長さの長い挟持布４の幅の中央部にて、長い丸棒状の心材２を包むように全周に密着させて巻き付け、特に挟持布４が一周して互いに突き合う箇所の付近は、型金又は型ローラーを強く当てて電熱又は高周波加熱により、挟持布４の内側面に付着している接着剤膜を溶融させてしっかりと接着し、（Ｃ）に断面で示す形状に長いもの（Ｂ）を形成する。なお、未接着の部分である挟持布４の幅の両辺部分は、後ほどカーテン等６に接着するのに必要な部分であり、カーテン等６の大きさや重さに対応する接着強度が得られるのに必要な面積寸法が残るように挟持布４の幅寸法は決定されている。このようにして製作された（Ｂ）に示すような長い心材２入りの挟持布４を所定の間隔で切断すれば、（Ｄ）に示すような所望の心材２入り挟持布４が多数得られる。切断の間隔寸法は適用対象のカーテン等６の大きさ重さ、あるいは、カーテン等６にできるひだの状態の好みなどによって決定すればよい。
【００１８】
なお、心材２の直径とか挟持布４の生地の厚さなどは、カーテン等６の大きさや重さに対応して決定すればよい。レール８の寸法も心材２入りの挟持布４の寸法に適合するように決定すればよい。また、カーテン等６に取り付ける挟持布４の間隔や数もカーテン等６の大きさやカーテン等６にできるひだの状態の好みなどによって決定すればよい。
【００１９】
以上のようにこの発明によるカーテン等支持装置では、心材２に巻着した挟持布４をカーテン等６に取り付け、心材２を巻着した挟持布４の部分をレール８の溝に支持させ滑り移動させてカーテン等６を開閉するようにしたので、カーテン等６を吊して移動する機能部品は心材２と挟持布４だけであり、構造がきわめて簡単であり、カーテン等６への取付けも接着だけですみ、手間がかからない。また、前記図３について説明したように、長い心材２に長い挟持布４を巻着して長いものを作り、これを所要の短寸法に切断して製作すれば、製作工費がきわめて少なく安価に製造することができる。
【００２０】
図４に示すように、ビルの壁面等に広げる広告宣伝幕６などのように上下に開閉するものには、幕６の左右側縁にこの発明による心材２入りの挟持布４を所要の間隔で取り付けて設け、これを幕６の左右側縁になる位置に上下方向に設けたレール８の溝に支持させ滑らせて上下に開閉する。幕６が風に煽られないように補強当て木７（木や竹などの他アルミなどの金属の管，型条材などを用いてもよい。）を所要の間隔で取り付けてもよい。（Ｃ）は幕６を折り畳んで収容した状況を示し、（Ｄ）は巻き取って収容した状況を示す。
【００２１】
図５は、この発明によるカーテン等支持装置を、大きな部屋を仕切って使用する手段に適用する一例を示す。図の右側に示すものは、人の出入りのため床上２ｍ強位のところにレール８を渡して設け、レール８の上部にはシート又は固定カーテン９を設け、レール８の下部には通常のカーテン６又は固いものでアコーデオン状に折り畳みして左右に開閉されるものなどを取り付ける。図の左側に示すものは、人や機材の搬出入等のためのシャッタードアー６である。所要の寸法の金属等の横桟を連ねたシャッタードアー６の各横桟の両側縁に、各々この発明による心材２入り挟持布４を取り付け、所要の左右間隔で上下方向にレール８を設け、この両側のレール８に心材２入り挟持布４を支持させ滑らせてシャッタードアー６を上下方向に開閉する。上部にはシャッタードアー６の巻き取り収納箱が設けられている。
【００２２】
図６に示すように、この発明によるカーテン等支持装置は、テントハウス又はビニールハウスなどに適用することができる。ハウスの壁面になるところの上部にレール８を設け、ビニールシートなどのカーテン６の上部に所要の間隔で取り付けた心材入り挟持布４をレール８の溝に支持させ滑らせて開閉する。
【００２３】
以上のように、この発明によるカーテン等支持装置は通常のカーテン，垂れ幕，緞帳などの布状のもののほか、図５に示すように、レール８の上部には固定カーテン９を設け、レール８の下部には通常のカーテン又は固いものでアコーデオン状に折り畳み開閉して、例えば部屋の仕切りに適用することができる。また、図５左部に示すように、固い桟を連ねたものを上下方向に開閉するシャッタードアーに適用することができる。また、ビルの壁面等に広げる広告宣伝幕などのように上下に開閉するものには、図４に示すように、幕の左右側縁にこの発明によるカーテン等支持装置を設けて適用することができる。また、図６に示すように、テントハウス又はビニールハウスなどの開閉可能な壁面として適用することができる。さらに、斜め方向又は曲線曲面に展開収納するものには、レール８をそのような曲線に設置することにより適用することができる。
【００２４】
【発明の効果】
以上説明したようにこの発明によるカーテン等支持装置は、心材２に巻着した挟持布４をカーテン等６に取り付け、挟持布４の心材２入りの部分をレール８の溝に支持させ滑り移動させてカーテン等６を開閉するようにしたので、カーテン等６を吊して移動する機能部品は心材２と挟持布４だけであり、構造がきわめて簡単であり、カーテン等６への取付けも接着だけできわめて簡単にでき手間がかからない。
【００２５】
また、前記のように、長い心材２と挟持布４とを接着して作り、これを所要の短寸法に切断して、多数の心材入り挟持布４を製作するようにすれば、製作工費がきわめて少なく安価に製造することができる。
【図面の簡単な説明】
【図１】この発明によるカーテン等支持装置の斜視図である。
【図２】この発明によるカーテン等支持装置の要部の拡大図であり、（Ａ）は正面図、（Ｂ）は断面図である。
【図３】この発明によるカーテン等支持装置の心材２入り挟持布４を製作する要領を示す図であり、（Ａ）は製作第１工程を示す斜視図、（Ｂ）は製作第２工程を示す正面図、（Ｃ）はその断面図、（Ｄ）は仕上がり状態の斜視図である。
【図４】この発明によるカーテン等支持装置の広告宣伝幕などへの適用例を示す図であり、（Ａ）は正面図、（Ｂ）は一部断面図、（Ｃ）は畳み収容状態の断面図、（Ｄ）は巻き取り収容状態の断面図である。
【図５】この発明によるカーテン等支持装置の部屋仕切り等への適用例を示す斜視図である。
【図６】この発明によるカーテン等支持装置のテントハウス又はビニールハウスなどへの適用例を示す斜視図である。
【符号の説明】
２：心材、
４：挟持布、
６：カーテン、
７：補強当て木、
８：レール、
９：固定カーテン。
【図１】
2004255008.tif 000003
【図２】
2004255008.tif 000004
【図３】
2004255008.tif 000005
【図４】
2004255008.tif 000006
【図５】
2004255008.tif 000007
【図６】
2004255008.tif 000008